(57)【要約】【課題】施工が簡単で支柱の交換も簡単な木製防護柵を提供する。【手段】防護柵は木製支柱１と木製ビーム２とを有する。木製支柱１は土中Ｇに打ち込んだ鋼管製基礎パイプ３に支持金具５を介して取り付けられている。支持金具５は、基礎パイプ３に流し込んだモルタル４にインサート固定されている。支持金具５は木製支柱１のスリット１２に嵌まっており、両者は支柱用ボルト１３で締結されている。木製ビーム２は固定金具６を介して木製支柱１に連結されている。施工に際して掘削作業は不要であるため施工コストを低廉に抑えることができると共に、支持金具５の位置・姿勢は調節できるため正確さにも優れている。木製支柱１のみを交換可能であるため、継続性に優れている。かつ、木製支柱１は地面から浮いているため、水切れが良くて耐久性に優れている。【選択図】図１
0003169815.tif 000002
【実用新案登録請求の範囲】
【請求項１】
地面より上に配置した木製支柱と、前記木製支柱に取り付けた横長の木製ビームと、前記木製支柱の下方位置において地面に打ち込まれた基礎パイプとを有しており、
前記基礎パイプの内部には、当該基礎パイプの上方にはみ出た上向き突出部を有する支持金具が挿入されており、前記支持金具のうち基礎パイプに挿入された部分は、前記基礎パイプを土中に打ち込んでから充填されたモルタル又は接着剤によって基礎パイプに固定されており、前記支持金具の上向き突出部に前記木製支柱を固定している、
防護柵。
【請求項２】
前記基礎パイプは鋼管製で、前記支持金具は平板状で上下に長い形状であり、前記支持金具はモルタルを介して前記基礎パイプに固定されている一方、
前記木製支柱は１本の丸太からなっており、この木製支柱の下部に、前記支持金具が嵌まるスリットが切り開き形成されており、前記木製支柱と支持金具とは、それらに貫通する支柱用ボルトとこれにねじ込まれるナットとで締結されている、
請求項１に記載した防護柵。
【請求項３】
前記基礎パイプは鋼管製で、前記支持金具は平板状で上下に長い形状であり、前記支持金具はモルタルを介して前記基礎パイプに固定されている一方、
前記木製支柱として丸太を縦にカットした平面視半円状の半割品が使用されており、全体又は略全体に防腐処理された２本の半割品を、その長手平坦面が向かい合うように配置して１本の支柱と成しており、前記２本の半割品の下部で前記支持金具を挟み付け、三者を支柱用ボルトとこれにねじ込まれるナットとで共締めしている、
請求項１に記載した防護柵。
【請求項４】
前記木製支柱と支持金具とは上下複数の箇所において前記支柱用ボルト及びナットで締結されていると共に、前記支柱用ボルト及びナットによる締結には座金が使用されており、前記座金は、前記木製支柱の外面に向かって凹となるように湾曲した浅い椀状形態であると共に、その外周縁には前記木製支柱に食い込む複数の爪が形成されている、
請求項２又は３に記載した防護柵。
【請求項５】
前記木製ビームの取り付けには水平部と垂直部とを有するＬ形の固定金具が使用されており、前記固定金具の水平部はねじファスナで前記木製ビームに固定され、前記固定金具の垂直部は前記木製支柱にねじファスナで固定されており、
かつ、前記固定金具における垂直部のうち上下方向に延びる両側縁と、前記固定金具における水平部のうち木製ビームの長手方向に延びる両側縁とに、それぞれ前記木製支柱及び木製ビームに食い込む爪が形成されている、
請求項２又は４に記載した防護柵。
【請求項６】
前記木製ビームの取り付けには水平部と垂直部とを有するＬ形の固定金具が使用されており、前記固定金具の水平部はねじファスナで前記木製ビームに固定されている一方、前記固定金具の垂直部には、前記木製支柱を構成する２本の半割品の間に挿入された横長のビーム用ボルトが挿通しており、前記ビーム用ボルトとこれにねじ込んだナットとで前記垂直部を２本の半割品に押さえ固定しており、かつ、前記固定金具における水平部のうち木製ビームの長手方向に延びる両側縁には前記木製ビームに食い込む爪が形成されており、前記固定金具における垂直部のうち上下方向に延びる両側縁には、前記木製支柱を構成する半割品に食い込む爪が形成されている、
請求項３又は４に記載した防護柵。
【請求項７】
前記木製支柱を構成する２本の半割品の間に、当該木製支柱を挟んだ両側に突出するはみ出し部を有する板状の固定金具が挟まれており、前記固定金具は、当該固定金具及び２本の半割品を貫通する金具用ボルトとこれにねじ込まれるナットとにより、前記木製支柱に取り付けられている一方、前記木製ビームには、前記固定金具のはみ出し部が嵌まり込むスリットを形成しており、前記木製ビームは、当該木製ビームに進入して前記固定金具のはみ出し部に貫通するビーム用ボルトにより、前記固定金具のはみ出し部に取り付けられている、
請求項３又は４に記載した防護柵。
【考案の詳細な説明】
【技術分野】
【０００１】
本願考案は、木製支柱及び木製ビームを有する木製（木系）の防護柵に関するものである。なお、「防護柵」は境界の単なる仕切りとして使用することも可能であり、従って、本願考案の対象物は「柵装置」と呼ぶことも可能である。
【背景技術】
【０００２】
防護柵の支柱とビームとに丸太を使用することが行われている。木製の防護柵は木の持つ温もりがあって人を和ませる利点があり、また、間伐材の有効利用に貢献できる利点もある。従って、広く普及することが期待されている。木製防護柵に関して種々の提案が成されており、その例として本願考案者は、特許文献１において、シーソー式の金具を使用して木製ビームを木製支柱に取り付けることを提案した。
【０００３】
防護柵において支柱を倒れ不能に保持する必要があり、そのための手段としては、上向きの穴が空いたコンクリート製の基礎ブロックを土中に埋設し、この基礎ブロックの穴にモルタルを流し込んでこれに支柱の下部を挿入することが一般的である。しかし、この方法では、小型パワーショベル等で地面を堀り起こしてから基礎ブロックを穴に配置し、次いで、基礎ブロックをセットしてから土で埋め戻して加圧機で転圧し、それから基礎ブロックの穴にモルタルを流し込んで支柱を嵌め込む、という工程を経ねばならないため、作業に多大の手間と費用がかかる問題があった。
【０００４】
また、支柱が腐る等して交換の必要が生じた場合、基礎ブロックごと掘り返して除去し、それから新たな基礎ブロックの埋設工事をせねばならないため、支柱の交換が非常に厄介であった。木製防護柵の良さが認識されながら広く普及しない理由の一つとして、支柱の交換に要する手間と費用が挙げられている。
【０００５】
そこで、木製支柱の交換を容易ならしめる考案や腐食を抑制する考案が成されている。例えば特許文献２には、基礎ブロックにインサート固定した連結プレートに木製支柱を取り付けることとが記載されている。すなわちこの特許文献２では、金属板より成る連結プレートの下部を基礎ブロックに埋め込み固定する一方、支柱の下部には連結プレートが入り込むスリットを形成し、支柱と連結プレートとをボルト及びナットで共締めしている。他方、特許文献３には、木製支柱の下部を金属や合成樹脂より成る基体で被覆し、基体で被覆された部分を土中に埋め込むことで開示されている。
【先行技術文献】
【特許文献】
【０００６】
【特許文献１】特開２００２−３５６８２１号公報
【特許文献２】特開２００４−３３９８８２号公報
【特許文献３】特開平０８−３３３７５６号公報
【考案の概要】
【考案が解決しようとする課題】
【０００７】
特許文献２では、ボルトによる締結を解除することで支柱だけを連結プレートから取り外して交換できるため、支柱を基礎ブロックに埋設した方式に比べると経済性に優れているが、基礎ブロックの埋設工事に要する手間と費用の問題は解消できていない。
【０００８】
また、基礎ブロックを設置するにおいて、設置位置が施工図の位置から多少ずれたり平面姿勢がずれたり傾きが発生したりすることがあるが、特許文献２では連結プレートが予め基礎ブロックに埋設されているため、基礎ブロックの施工誤差によって連結プレートの位置や姿勢がずれると支柱にも位置ずれや傾きが発生することになり、その結果、ビームを取り付けできなくなるおそれも懸念される。
【０００９】
他方、特許文献３は腐食防止にある程度の効果があると推測できるが、基体で被覆した支柱をそのまま土中に深く打ち込むことは困難であるため、支柱を強固に保持するにはコンクリート製の基礎ブロックを使用せざるを得ず、すると、基礎ブロックの埋設に要する手間や費用の問題が顕れると共に、支柱だけ交換することもできない。
【００１０】
本願考案はこのような現状に鑑み成されたもので、設置作業が容易で強度にも優れると共に支柱の交換も容易な木製防護柵を提供することを主たる目的にしている。また、本願考案は、木製支柱の加工コストを抑制することや、木製ビームの姿勢を施工地の傾斜に簡単に適合させることも目的としている。
【課題を解決するための手段】
【００１１】
前記目的を達成すべく本願考案者は、各請求項に記載した構成を案出した。このうち請求項１の考案に係る防護柵は、地面より上に配置した木製支柱と、前記木製支柱に取り付けた横長の木製ビームと、前記木製支柱の下方位置において地面に打ち込まれた基礎パイプとを有しており、前記基礎パイプの内部には、当該基礎パイプの上方にはみ出た上向き突出部を有する支持金具が挿入されており、前記支持金具のうち基礎パイプに挿入された部分は、前記基礎パイプを土中に打ち込んでから充填されたモルタル又は接着剤によって基礎パイプに固定されており、前記支持金具の上向き突出部に前記木製支柱を固定している。
【００１２】
請求項２の考案は請求項１を具体化したもので、この考案は、請求項１において、前記基礎パイプは鋼管製で、前記支持金具は平板状で上下に長い形状であり、前記支持金具はモルタルを介して前記基礎パイプに固定されている一方、前記木製支柱は１本の丸太からなっており、この木製支柱の下部に、前記支持金具が嵌まるスリットが切り開き形成されており、前記木製支柱と支持金具とは、それらに貫通する支柱用ボルトとこれにねじ込まれるナットとで締結されている。
【００１３】
請求項３の考案も請求項１を具体化したもので、この考案は、請求項１において、前記基礎パイプは鋼管製で、前記支持金具は平板状で上下に長い形状であり、前記支持金具はモルタルを介して前記基礎パイプに固定されている一方、前記木製支柱として丸太を縦にカットした平面視半円状の半割品が使用されており、全体又は略全体に防腐処理された２本の半割品を、その長手平坦面が向かい合うように配置して１本の支柱と成しており、前記２本の半割品の下部で前記支持金具を挟み付け、三者を支柱用ボルトとこれにねじ込まれるナットとで共締めしている。
【００１４】
請求項４の考案は請求項２又は３の考案を具体化したもので、この考案は、請求項２又は３において、前記木製支柱と支持金具とは上下複数の箇所において前記支柱用ボルト及びナットで締結されていると共に、前記支柱用ボルト及びナットによる締結には座金が使用されており、前記座金は、前記木製支柱の外面に向かって凹となるように湾曲した浅い椀状形態であると共に、その外周縁には前記木製支柱に食い込む複数の爪が形成されている。
【００１５】
請求項５の考案は請求項２又は４の考案を具体化したもので、この考案は、請求項２又は４において、前記木製ビームの取り付けには水平部と垂直部とを有するＬ形の固定金具が使用されており、前記固定金具の水平部はねじファスナで前記木製ビームに固定され、前記固定金具の垂直部は前記木製支柱にねじファスナで固定されており、かつ、前記固定金具における垂直部のうち上下方向に延びる両側縁と、前記固定金具における水平部のうち木製ビームの長手方向に延びる両側縁とに、それぞれ前記木製支柱及び木製ビームに食い込む爪が形成されている。
【００１６】
請求項６の考案は請求項３又は４の考案を更に具体化したもので、この考案は、請求項３又は４において、前記木製ビームの取り付けには水平部と垂直部とを有するＬ形の固定金具が使用されており、前記固定金具の水平部はねじファスナで前記木製ビームに固定されている一方、前記固定金具の垂直部には、前記木製支柱を構成する２本の半割品の間に挿入された横長のビーム用ボルトが挿通しており、前記ビーム用ボルトとこれにねじ込んだナットとで前記垂直部を２本の半割品に押さえ固定しており、かつ、前記固定金具における水平部のうち木製ビームの長手方向に延びる両側縁には前記木製ビームに食い込む爪が形成されており、前記固定金具における垂直部のうち上下方向に延びる両側縁には、前記木製支柱を構成する半割品に食い込む爪が形成されている。
【００１７】
請求項７の考案も請求項３又は４の考案を具体化したもので、この考案は、請求項３又は４において、前記木製支柱を構成する２本の半割品の間に、当該木製支柱を挟んだ両側に突出するはみ出し部を有する板状の固定金具が挟まれており、前記固定金具は、当該固定金具及び２本の半割品を貫通する金具用ボルトとこれにねじ込まれるナットとにより、前記木製支柱に取り付けられている一方、前記木製ビームには、前記固定金具のはみ出し部が嵌まり込むスリットを形成しており、前記木製ビームは、当該木製ビームに進入して前記固定金具のはみ出し部に貫通するビーム用ボルトにより、前記固定金具のはみ出し部に取り付けられている。
【考案の効果】
【００１８】
［請求項１（全請求項）の効果］
本願考案によると、木製支柱は支持金具に取り付けているため、木製支柱は支持金具に対する固定を解除することで、簡単に除去・交換できる。従って、木製支柱が腐食したり破損したりした場合、木製支柱のみを低コストで交換できる。また、防護柵の除去や基礎パイプの位置変更のために基礎パイプを抜去する場合は、基礎パイプが地面から露出していなくても、支持金具を掴む等して引き上げることで基礎パイプを引き抜きできるため、基礎パイプの抜去作業もごく簡単に行える。
【００１９】
また、木製支柱を支持する基礎パイプは土中にある程度の深さまで打ち込むことで高い支持強度を確保できる一方、支持金具も単なる寸法の設定によって必要な強度を保持できるため、木製支柱に必要な支持強度を簡単に保持させることができる。
【００２０】
更に、基礎パイプは地面への打ち込みによって簡単に設置でき、基礎ブロックを使用する場合のような掘削作業や埋め戻し作業は不要であるため、施工費用も基礎ブロックを使用する場合に比べて大幅に抑制できる。また、地面の掘削や転圧作業は不要であるため地盤の脆弱化は発生せず、従って、傾斜地や路肩であっても高い強度を確保した状態で施工できる。そして、木製支柱の下面と地面との間に隙間が存在するため、雨水の切れがよいと共に地面の水が吸い上げられる現象は発生せず、このため腐りにくくて耐久性に優れている。
【００２１】
また、支持金具は基礎パイプを打ち込んでから取り付けられるものであり、基礎パイプの位置や姿勢に拘束されることなく、支持金具の高さや水平位置、平面視姿勢、傾きを任意に設定できるため、基礎パイプの打ち込み位置や姿勢に多少の施工誤差があっても、その誤差を補正した状態で支持金具を正確な位置・高さ・姿勢に配置することができる。つまり、現場対応性に優れているのであり、このため、木製支柱の設置を正確に行うこができ、その結果、木製支柱への木製ビームの取り付けもトラブルなく行うことができる。
【００２２】
［請求項２の効果］
請求項２のように支持金具を板状の形態にすると、支持金具は鋼板を材料として簡単に製造（加工）できるため、コスト面で有利である。また、支柱は丸太の単一材であるため、施工も簡単である。
【００２３】
［請求項３の効果］
さて、木材にスリットを加工する場合、例えば２〜３ｍｍ程度の溝幅であると丸鋸で簡単で加工できるが、例えば１０ｍｍ以上の厚さであると丸鋸のみでの加工はできず、例えば、スリットの奥部箇所に相当する部位にドリルで横穴を空け、次いで、丸鋸に２回通してスリットの一方の内側面と他方の内側面とに相当する部分を加工する、という工程を経ねばならず、このためスリットの加工が面倒である。
【００２４】
これに対して請求項３の構成を採用すると、半割品は丸鋸によって簡単に加工できるため、支柱の製造コストを抑制することができる。また、半割品はその表面の全体又は大部分が防腐処理されているため、単一材を使用する場合に比べて防腐性能を向上できる利点もある。
【００２５】
［請求項４の効果］
木製支柱を板状の支持金具に支柱用ボルト及びナットで締結する場合、木製支柱と支持金具とには支柱用ボルトが嵌まるボルト挿通穴を空けねばならないが、加工誤差を吸収したりボルト挿入作業を容易ならしめたりするため、ボルト挿通穴は支柱用ボルトの外径よりもある程度大径に設定されている。すなわち、ボルト挿通穴の内周と支柱用ボルトとの間に僅かながら遊びがある。このため、支柱に大きな外力がかかると、ボルト挿通穴の内周と支柱用ボルトとの間の遊びの分だけ支柱が倒れるおそれがある。さりとて、ボルト挿通穴を支柱用ボルトの外径とおりに設定すると、加工誤差があると、支柱用ボルトを挿通できなくなるおそれがある。
【００２６】
この点、請求項４の構成を採用すると、木製支柱のボルト挿通穴を支柱用ボルトの外径より多少大径に設定しておいても、座金と支柱用ボルトとの間の遊びを僅かの寸法に設定しておくことにより、上下複数本の支柱用ボルトと木製支柱との相対位置を座金によって一定に保持できるため、木製支柱の倒れ現象を防止又は著しく抑制することができる。
【００２７】
［請求項５の効果］
木製支柱と木製ビームとの連結（固定）には各種の手段を採用できるが、請求項５のようにＬ型で爪を有する固定金具を使用すると、簡単な作業で木製ビームを木製支柱にしっかりと連結できる利点がある。
【００２８】
［請求項６の効果］
請求項６の構成を採用すると、ビーム用ボルトは一対の半割品の間に位置しているため、支柱にはビーム用ボルトが挿通する穴を加工する必要がなく、それだけ加工コストを抑制できる。また、ビーム用ボルトは任意の高さに位置させることができるため、木製ビームの高さ位置を変更したり木製ビームの段数を変えたりすることも簡単に行える。そして、固定金具の垂直部に設けた爪が２本の半割品のそれぞれに食い込んでいるため、固定金具がずり下がるようなことはなく、高い固定強度を保持できる。
【００２９】
更に、ビーム用ボルトは半割品の軸線（鉛直線）に対して傾斜姿勢に配置することも可能であるため、傾斜地の防護柵においては、木製ビームの群を傾斜姿勢にして直線状に配置することができる。すなわち、傾斜地への対応性にも優れている。
【００３０】
［請求項７の効果］
木製ビームの連結手段として請求項７のような板状の固定金具を使用すると、固定金具は支柱に対して任意の姿勢に保持できるため、傾斜地への対応性に優れている。また、支柱にスリットを加工する必要はないためコスト面で有利であると共に、２本の半割品と固定金具とを金具用ボルト及びナットで締結することにより、２本の半割品の一体性が高まるため、強度面においても優れている。
【図面の簡単な説明】
【００３１】
【図１】（Ａ）は第１実施形態の部分正面図、（Ｂ）（Ｃ）は施工工程の一部を示す図である。
【図２】（Ａ）〜（Ｆ）は第１実施形態の施工工程及び構成部材を示す図、（Ｇ）は（Ｆ）のＧ−Ｇ視断面図、（Ｈ）は座金の正面図、（Ｉ）は（Ｈ）のＩ−Ｉ視断面図、（Ｊ）は（Ｈ）のＪ−Ｊ視断面図である。
【図３】（Ａ）は支柱とビームとの連結構造を示す一部破断正面図、（Ｂ）は固定金具の斜視図、（Ｃ）は作用を示す平面図である。
【図４】第２実施形態を示す図で、（Ａ）は部分正面図、（Ｂ）は支柱の平面図、（Ｃ）は（Ａ）のＣ−Ｃ視断面図、（Ｄ）はエンド支柱の箇所での正面図である。
【図５】第３実施形態を示す図で、（Ａ）は部分正面図、（Ｂ）は（Ａ）のＢ−Ｂ視断面図である。
【図６】（Ａ）は第４実施形態の部分断面図、（Ｂ）は支柱の加工工程を示す図である。
【考案を実施するための形態】
【００３２】
次に、本願考案の実施形態を図面に基づいて説明する。まず、図１〜図３に基づいて第１実施形態を説明する。以下の説明では便宜的に「前後」「左右」の文言を使用するが、この「前後」「左右」は、基本的にはビームの軸線と直交した方向から見た状態を基準にしている。
【００３３】
(1).概略・基礎部
防護柵は、地面ＧＬより上に鉛直姿勢に配置した木製支柱１、木製ビーム２から横向きに延びる木製ビーム２、土中Ｇに埋設した基礎パイプ３、基礎パイプ３に充填したモルタル４に略下半部を埋め込んだ支持金具５、木製ビーム２を木製支柱１に連結するための固定金具６を有している。木製支柱１及び木製ビーム２は杉や檜のような針葉樹の間伐材が使用されており、丸太の単一材の状態で使用されている（防腐処理は行っている。）。木製支柱１の上端には、樹脂製や金属製のキャップ７を装着している。
【００３４】
木製支柱１及び木製ビーム２の外径は１００〜１５０ｍｍが多い。木製支柱１の太さと木製ビーム２の太さとを異ならせることも可能である。木製支柱１及び木製ビーム２とも長さは必要に応じて任意に設定される。木製ビーム２の段数は図示のような３段に限らず、２段又は４段以上にすることも可能である。
【００３５】
基礎パイプ３の太さ及び長さは必要な支持強度に応じて設定される。規格品として外径が１１４．３ｍｍ、厚さが４．５ｍｍの鋼管があるので、これを適当な長さ（例えば８００ｍｍ程度）に切断して使用すると好適である。もとより、基礎パイプ３の太さ・長さ・厚さは防護柵に求められる強度に応じて任意に設定できる。なお、基礎パイプ３は防錆のためメッキ処理されている。基礎パイプ３には線材で補強されたコンクリート管や樹脂管も採用できるが、打ち込みの容易性や信頼性の面からは鋼管を使用するのが好ましい。
【００３６】
基礎パイプ３は、図１（Ｂ）に示すような治具８を使用して、振動式等の打ち込み機で土中Ｇに打ち込まれる。治具８は基礎パイプ３の内部に入り込むボス部８ａを有している。このため、基礎パイプ３の内部の土９はボス部８ａで突き固められる状態になり、その結果、基礎パイプ３は補強された状態になっている。ボス部８ａの長さは基礎パイプ３の半分程度の長さになっているが、土質等の条件に応じて長さを異ならせることも可能である。基礎パイプ３の上端は地上に多少露出していてもよいし、逆に、地中にめり込ませることも可能である。
【００３７】
支持金具５はメッキ鋼板を使用しており、その半分程度がモルタル４に埋め込まれている。支持金具５は強度を確保できる大きさであれば足り、例えば、厚さは１０〜２０ｍｍ、幅は５０〜１００ｍｍ、長さは４００〜５００ｍｍに設定できる。支持金具５は、基礎パイプ３の内部で横移動させ得るように、その横幅寸法は基礎パイプ３の内径よりもある程度小さい寸法に設定している。
【００３８】
支持金具５のうちモルタル４に進入する部位には、図２（Ｂ）に拡大して示すように、抜け止め用のボルト１０をナット１１で固定している。抜け止め用のボルト１０は両切りボルトを使用しているが、頭付きボルトを使用してもよい。支持金具５の抜け止め手段としては必ずしもボルト１０を使用する必要はなく、抜け止め用穴を空けるだけでもよいし、抜け止め片を折り曲げ形成してもよい。
【００３９】
基礎パイプ３を土中Ｇに打ち込んでから、基礎パイプ３の内部にモルタル４を流し込み、次いで、支持金具５の下半部をモルタル４に挿入して、モルタル４を固まらせる。支持金具５は所定の高さに設定する必要があるので、治具等を使用して高さを設定する。また、鉛直性も必要なので、水準器を使用して鉛直姿勢にする。更に、基礎パイプ３の打ち込み位置や打ち込み姿勢は施工図のとおりとはならず、位置がずれたり姿勢が傾いたりすることもある。すなわち、施工誤差が生じることがある。
【００４０】
そこで、隣り合った基礎パイプ３の支持金具５との間隔が所定の間隔になるように、支持金具５の水平位置と水平姿勢も揃え、その状態でモルタル４を固まらせる。従って、支持金具５の軸心と基礎パイプ３の軸心とが一致しない場合もあるが、隣り合った支持金具５の間隔を所定のとおりに揃えることができると共に、高さ、平面視姿勢を所定のとおりに設定して、木製支柱１を正確に配置することができる。モルタルの代わりに樹脂系の接着剤を使用することも可能である。なお、モルタル４には砂利を混ぜ込んでもよい。従って、本願考案でいうモルタルはコンクリートも含む概念である。
【００４１】
(2).木製支柱の取り付け構造
支持金具５は基礎パイプ３の上にはみ出た上向き突出部５ａを有している一方、木製支柱１の下部には上向き突出部５ａが嵌まるスリット１２が形成されており、上向き突出部３ａと木製支柱１とは上下２本の支柱用ボルト１３とこれに螺合するナット１４とで締結されている。従って、支持金具５と木製支柱１とにはそれらを貫通するボルト挿通穴１５，１６が空いている。また、支柱用ボルト１３の両端部には座金１７が嵌まっている。
【００４２】
座金１７は実線で示すような小判型や一点鎖線で示す真円形であり、木製支柱１に向けて凹となるように全体にわたって湾曲している。このため、座金１７は浅い椀状の形態を成している。そして、座金１７は上下長手の姿勢で使用されており、長手両側縁には、木製支柱１に食い込む三角形の爪１８を１個ずつ形成している（複数ずつ形成してもよい。）。座金１７は椀状形態であるため剛性に優れており、爪１８は木製支柱１にしっかりと食い込んでいる。
【００４３】
さて、支持金具５は平面視で前後長手の姿勢になっており、また、必然的に、木製支柱１のスリット１２も平面視で前後長手の姿勢に形成されている。この場合、木製支柱１と支持金具５との締結が単なる支柱用ボルト１３とナット１４とによる締結の場合、支柱用ボルト１３とボルト挿通穴１４，１５の内周との間にある程度のクリアランスがあると、人がもたれ掛かる等して木製支柱１に前後方向の外力が作用すると、支柱用ボルト１３の頭と木製支柱１との間、及び、ナット１４と木製支柱１との間に滑りが発生して、木製支柱１が若干ながら倒れる現象が生じることがある。
【００４４】
これに対しては、木製支柱１及び支持金具５のボルト挿通穴１４，１５を支柱用ボルト１３と同径に設定してクリアランスを無くすことが考えられるが、これでは上下のボルト挿通穴１４，１５のピッチに僅かでも加工誤差があると支柱用ボルト挿通穴１３の挿通が不可能になるため、現実的でない。
【００４５】
他方、本実施形態の形態の座金１７を使用すると、座金１７の爪１８が木製支柱１に食い込んでいるため、座金１６と支柱用ボルト１３との間のクリアランスをできるだけ小さくしておくことにより、支柱用ボルト１３は実質的に木製支柱１にずれ不能に保持されるため、木製支柱１のボルト挿通穴１４と支柱用ボルト１３との間にある程度のクリアランスを確保しつつ、木製支柱１が外力によって倒れることを防止又は著しく抑制できる。すなわち、施工の確実性を確保しつつ、木製支柱１の倒れを的確に防止できる。支持金具５のボルト挿通穴１６も、支柱用ボルト１３の外径より僅かに大きい程度の寸法に設定しておくのが好ましい（木製支柱１のボルト挿通穴１６の内径を支柱用ボルト１３の外径よりある程度大径にしておけば、施工の容易性には影響しない。）。
【００４６】
(3).木製ビームの取り付け構造
図３（Ａ）（Ｂ）に示すように、木製ビーム２を木製支柱１に連結するための固定金具６は、木製ビーム２に重なる水平部６ａと木製支柱１に重なる垂直部６ｂとを有するＬ形の形態を成している。水平部６ａ及び垂直部６ｂとも木製ビーム２及び木製支柱１にぴったり重なるように軸方向から見て円弧状に湾曲しており、両者にはボルトが嵌まる取り付け穴２０，２１が空いている。水平部６ａの取り付け穴２０は木製ビーム２の軸方向に長い長穴になっており、垂直部６ｂの取り付け穴２１は上下方向と前後方向とに広がった十字形になっている。もとより十字形である必然性はなく、単なる丸穴に形成したり、上下方向のみに長い長穴に形成したり、前後方向（水平方向）のみに長い長穴に形成したりしてもよい。
【００４７】
また、固定金具６における水平部６ａと垂直部６ｂとの前後両側縁には、木製ビーム２及び木製支柱１に食い込む山形の爪２２が２個ずつ形成されている。このため、固定金具６は木製ビーム２及び木製支柱１に対してずれ不能に保持される。本実施形態では垂直部６ｂの長さ（高さ）より水平部６ａの長さが長くなっているが、両者の長さは任意に設定できる。両手とも、取り付け穴２０，２１を複数ずつ形成することも可能である。なお、爪２２は１個ずつ又は３個ずつ以上形成してもよい。
【００４８】
固定金具６の水平部６ａを木製ビーム２に固定するには、ねじ込み式スタッドボルト２３はこれに螺合するナット２４とが使用されている。これらねじ込み式スタッドボルト２３とナット２４とはねじファスナの一例である。スタッドボルト２３はピッチが荒くて先端部が尖った木ねじ部２３ａを有しており、木ねじ部２３ａが水平部６ａにねじ込まれている。木製ビーム２には下穴を空けておくのが好ましい。
【００４９】
水平部６ａと木製ビーム２との固定に木ねじを使用することも可能であるが、本実施形態のようにスタッドボルト２３を使用すると、先に固定金具６を木製支柱１に固定してから、固定金具６における水平部６ａの取り付け穴２０にスタッドボルト２３を嵌め込むことで、木製ビーム２を仮保持できる利点がある。また、木ねじを下方からねじ込むのは面倒であるが、本実施形態では、ナット２４は無理な姿勢を採らずにレンチで簡単にねじ込み操作できる。水平部６ａの取り付け穴２０は左右に長いため、隣り合った木製支柱１のピッチが多少ずれていても、支障なく水平部６ａに固定できる。
【００５０】
固定金具６の垂直部６ｂは、木製支柱１を貫通するビーム用ボルト２５とこれに螺合するナット２６とで木製支柱１に固定されている。従って、木製支柱１にはその軸心を横切るように延びるボルト挿通穴２７が空いている。図３（Ａ）では多数本の木製支柱１のうちエンドに配置した木製支柱１を示しており、木製支柱１の片面だけに固定金具６が配置されているが、エンド支柱を除いた他の木製支柱１においては、左右両側に固定金具６が重ね配置されて、２つの固定金具６の垂直部６ｂと木製支柱１とがビーム用ボルト２５とナット２６とで共締めされる。
【００５１】
本実施形態のように固定金具６における垂直部６ｂの取り付け穴２１を十字型に形成すると、木製支柱１の高さの誤差を吸収できると共に、固定金具６を木製支柱１の軸心回りに多少はずらし移動させることができる。このため、木製支柱１の平面姿勢が施工図から多少ずれてもその誤差を吸収することができると共に、木製ビーム２を挟んで左右に位置した木製ビーム２を平面視くの字形に配置することも簡単に行える。このため、現場の状況に応じて木製ビーム２の姿勢を少し変えるといったことを容易に行える。
【００５２】
(4).第２実施形態
次に、図４に示す第２実施形態を説明する。この実施形態では、木製支柱１は丸太を半割りした半割品１′が使用されており、２本の半割品１′で１本の木製支柱１を構成している。半割品１′は外面の全体に防腐処理している。２本の半割品１′は、その広幅面を前後に対抗させた状態で配置されており、２本の半割品１′の下部で木製支柱１を前後から挟み、その状態で三者を支柱用ボルト１３及びナット１１で固定している。従って、この第２実施形態では、支持金具５は平面視で左右方向に長い姿勢でモルタル４に埋設されている。第１実施形態で使用した座金１７は使用してもよいし、使用しなくてもよい。
【００５３】
木製支柱１に木製ビーム２を連結する手段は第１実施形態と同じであり、Ｌ形の固定金具６が使用されている。前後の半割品１′の間には空間が空いており、ビーム用ボルト２５は前後半割品１′の間に配置されている。従って、ビーム用ボルト２５は任意の高さに設定することができる。固定金具６の垂直部６ｂに設けた爪２２が前後の半割品１′に食いんでいるため、固定金具６及び木製ビーム２がずり下がることはない。
【００５４】
支柱群のエンドに位置した木製支柱１において、図４（Ａ）に示すように、固定金具６の垂直部６ｂのみと同じ形態のエンド金具２８を使用している。このため、エンドの木製支柱１においても、前後半割品１′は離反不能に保持されている。この第２実施形態では、ビーム用ボルト２５は前後半割品１′の間隔を保持するスペーサの役割も果たしている。従って、支持金具５の厚さ寸法はビーム用ボルト２５の外径と同じ寸法に設定しておくのが好ましい。
【００５５】
第２実施形態では、ビーム用ボルト２５を正面視で傾斜姿勢にすることができる。このため、傾斜面に合わせて木製ビーム２を傾斜させる場合に好適である。なお、固定金具６を木製支柱１及び木製ビーム２に固定してから、木製ビーム２の自由端部を持ち上げたり押し下げたりして固定金具６に大きな曲げモーメントを掛けると、固定金具６における水平部６ａと垂直部６ｂとの成す角度を変えることができる。従って、木製ビーム２を傾斜姿勢に連結することは簡単に行える。
【００５６】
図４（Ａ）に一点鎖線で示すように、前後の半割品１′は、固定金具６とは別の箇所においてボルト２９とこれに螺合するナット（図示せず）で締結することも可能である。この場合、ボルト２９には前後半割品１′の間に介在するスペーサを嵌め込むことが好ましい。
【００５７】
(5).第３実施形態
図５に示す第３実施形態では、木製支柱１を前後一対の半割品１′で構成した場合において、木製支柱１と木製ビーム２との連結手段として、特許文献１に開示された板状の固定金具３０を使用している。固定金具３０は木製支柱１に１本の金具用ボルト３１とこれに螺合するナット３２で締結されており、このため、固定金具３０は金具用ボルト３１の軸心回りにシーソー状に回動しうる。２本の半割品１′の間の間隔は１２〜２０ｍｍ程度の間隔が好ましい一方、固定金具３０の厚さは数ｍｍで足りる。そこで、金具用ボルト３１にスペーサ（カラー）３０′を嵌め込んでいる。スペーサ３０′に座金を利用してもよい。図５（Ａ）ではビーム用ボルト３４は１本ずつしか表示していないが、実際には、図５（Ｂ）のように固定金具３０のはみ出し部３０ａに１本の木製ビーム２が２本のビーム用ボルト３４で固定されている。
【００５８】
固定金具３０は木製支柱１の左右両側にはみ出ており、左右のはみ出し部３０ａは木製ビーム２に形成したスリット３３に嵌まっており、木製ビーム２とはみ出し部３０ａとは、２本のビーム用ボルト３４及びこれに螺合するナット３５で共締めされている。ビーム用ボルト３４は木ねじを使用することも可能である。この第３実施形態において、固定金具６のはみ出し部と木製ビーム２との締結に第１実施形態で示した座金１７を使用すると、木製ビーム２に人が乗る等して荷重がかかっても、固定金具６と木製ビーム２との相対姿勢を一定に保持できる利点がある（特開２００３−２６９４３５号参照。）。
【００５９】
(6).第４実施形態
図６に示す第４実施形態では、支持金具５を上向き開口コ字状に形成している。他方、木製支柱１の下部には２本のスリット１２が形成されている。支柱用ボルト１３及びナット１４による締結は第１実施形態と同じである。木製支柱１のスリット１２は、丸鋸３６に通すことで形成される（丸鋸３６に２回通す。）。従って、スリット１２の溝幅は丸鋸３６の厚さと同じ寸法になる。そこで、支持金具５は、丸鋸３６の厚さと同じ程度の厚さの鋼板を材料に使用している。なお、丸鋸３６が固定式の場合は、木製支柱１は白抜き矢印と反対方向に移動させる。
【００６０】
丸鋸３６の厚さは厚いものでも数ｍｍしかないが、本実施形態のように支持金具５をコ字状にすることにより、薄くても高い剛性を確保することができ、しかも、スリット１２は丸鋸３６のみで簡単に加工できる。このため、強度を損なうことなくコストダウンすることが可能になる。
【００６１】
(7).その他
本願考案は上記の実施形態の他にも様々に具体化できる。例えば木製支柱及び木製ビームは断面角形や小判型等の各種の形態と成すことができる。また、支持金具は板状に限らず、例えばパイプ状とすることも可能である。更に、固定金具も種々の形態を採用できる。基礎パイプは円形には限らず、角形であってもよい。１本の木製支柱を挟んで両側に位置した２本の木製ビームを平面視で非直線姿勢に配置したり、１本の木製支柱から３本以上の木製ビームが平面視で放射方向に向かうように構成することも可能である。
【産業上の利用可能性】
【００６２】
本願考案は木製防護柵に適用して有用性を発揮する。従って、産業上利用できる。
【符号の説明】
【００６３】
１  木製支柱
２  木製ビーム
３  基礎パイプ
４  モルタル
５  支持金具
６  固定金具
１３  支柱用ボルト
１４  ナット
１５，１６  ボルト挿通穴
１７  座金
１８  座金の爪
２２  固定金具の爪
２３  スタッドボルト（ねじファスナ）
２４  ナット（ねじファスナ）
２５  ビーム用ボルト
２６  ナット
３０  固定金具
３１  ビーム用ボルト
３２  ナット
３３  木製ビームのスリット
３４  金具用ボルト
３５  ナット
【図１】
0003169815.tif 000003
【図２】
0003169815.tif 000004
【図３】
0003169815.tif 000005
【図４】
0003169815.tif 000006
【図５】
0003169815.tif 000007
【図６】
0003169815.tif 000008